(57)【要約】【課題】埃の侵入を抑えつつ、壁面への汚れの付着を抑えることができる分電盤のハウジング及び分電盤を提供する。【解決手段】ハウジングベース１２は、筒状部の上側の長尺側板２３において上方に開口する態様で形成される第１スリット部Ｓ１と、第１スリット部Ｓ１の上方において該スリット部Ｓ１と開口方向において少なくとも一部重なる態様の第１遮蔽部２３ａとを有する。【選択図】図９
2015208098.tif 000002
【特許請求の範囲】
【請求項１】
有底筒状のハウジングベース及び該ハウジングベースの開口部を塞ぐカバーで構成される収容空間内に、主幹ブレーカを収容可能な分電盤のハウジングであって、
前記ハウジングベースは、筒状部の上側に上方に開口する態様で形成される第１スリット部と、前記第１スリット部の上方において該第１スリット部と開口方向において少なくとも一部重なる態様の第１遮蔽部とを有する分電盤のハウジング。
【請求項２】
請求項１に記載の分電盤のハウジングにおいて、
前記第１スリット部は複数並設され、前記第１遮蔽部は複数並設されるものであり、
前記第１遮蔽部間に前記第１スリット部と開口方向において重ならない位置に第２スリット部を有し、前記第１スリット部間に前記開口方向において前記第２スリット部の少なくとも一部と重なる態様の第２遮蔽部を有することを特徴とする分電盤のハウジング。
【請求項３】
請求項１又は２に記載の分電盤のハウジングと、前記分電盤のハウジングに収容されるブレーカとを備えたことを特徴とする分電盤。
【発明の詳細な説明】
【技術分野】
【０００１】
本発明は、内部にブレーカを収容する分電盤のハウジングと、ハウジングを備えた分電盤に関するものである。
【背景技術】
【０００２】
従来、分電盤は、主幹ブレーカや主幹ブレーカに接続された主幹電路から分岐して電気機器に電力を供給する分岐電路にそれぞれ設けられた複数の分岐ブレーカ等の内部機器と、内部機器が収容されるハウジングとを有して構成される（例えば特許文献１参照）。
【０００３】
このような分電盤のハウジングは、有底筒状のハウジングベースと、前記ハウジングベースの開口部を塞ぐカバーとを有する。ハウジングベースとカバーとで形成された収容空間内に前記内部機器が収容される。また、カバーには前記主幹ブレーカのハンドル（操作部）や分岐ブレーカのハンドルを露出させるための窓部が形成されて、ハンドルが操作可能となっている。
【先行技術文献】
【特許文献】
【０００４】
【特許文献１】特開２００９−２６８２５２号公報
【発明の概要】
【発明が解決しようとする課題】
【０００５】
ところで、分電盤のハウジングに収容される主幹ブレーカ等の各種内部機器は熱を有するため、分電盤のハウジングにスリット部などを形成し、ハウジング外部に排気（排熱）する必要がある。ハウジングのスリット部の形成位置としては、分電盤取付時においてハウジングの鉛直方向上側面や背面側に設けることが考えられる。しかしながら、例えば、ハウジングの鉛直方向上側面にスリット部を形成すると、埃等がハウジング内部に侵入する虞がある。また、スリット部を背面に設けると壁面に埃が付着してしまい、壁面が汚れる虞がある。
【０００６】
本発明は、上記課題を解決するためになされたものであって、その目的は、埃の侵入を抑えつつ、壁面への汚れの付着を抑えることができる分電盤のハウジング及び分電盤を提供することにある。
【課題を解決するための手段】
【０００７】
上記課題を解決するために、分電盤のハウジングは、有底筒状のハウジングベース及び該ハウジングベースの開口部を塞ぐカバーで構成される収容空間内に、主幹ブレーカを収容可能な分電盤のハウジングであって、前記ハウジングベースは、筒状部の上側に上方に開口する態様で形成される第１スリット部と、前記第１スリット部の上方において該第１スリット部と開口方向において少なくとも一部重なる態様の第１遮蔽部とを有することを特徴とする。
【０００８】
また上記構成において、前記第１スリット部は複数並設され、前記第１遮蔽部は複数並設されるものであり、前記第１遮蔽部間に前記第１スリット部と開口方向において重ならない位置に第２スリット部を有し、前記第１スリット部間に前記開口方向において前記第２スリット部少なくとも一部重なる態様の第２遮蔽部を有することが好ましい。
【０００９】
また上記課題を解決するために、分電盤は、上記いずれかの構成の分電盤のハウジングと、前記分電盤のハウジングに収容されるブレーカとを備えたことを特徴とする。
【発明の効果】
【００１０】
本発明の分電盤のハウジング及び分電盤によれば、埃の侵入を抑えつつ、壁面への汚れの付着を抑えることができる。
【図面の簡単な説明】
【００１１】
【図１】実施形態におけるドアを閉じた状態の分電盤の斜視図である。
【図２】同上におけるドアを開けた状態における分電盤の斜視図である。
【図３】同上におけるドアを省略した状態における分電盤の斜視図である。
【図４】（ａ）は同上におけるハウジングの正面図であり、（ｂ）は（ａ）の部分拡大図である。
【図５】（ａ）は同上におけるハウジングの側面図であり、（ｂ）は（ａ）の部分拡大図である。
【図６】同上におけるハウジングベースの平面図である。
【図７】同上におけるハウジングカバーの平面図である。
【図８】同上におけるハウジングベースの排熱用スリット部構造について説明するための斜視図である。
【図９】同上におけるハウジングベースの排熱用スリット部構造について説明するための斜視図である。
【図１０】（ａ）は同上におけるハウジングベースの排熱用スリット部構造について説明するための斜視図であり、（ｂ）は（ａ）の１０Ｂ−１０Ｂ断面図であり、（ｃ）は（ａ）の１０Ｃ−１０Ｃ断面図である。
【発明を実施するための形態】
【００１２】
以下、分電盤の一実施形態を図面に従って説明する。
図１〜図３に示すように本実施形態の分電盤１０は、収容空間を有するハウジング１１と、ハウジング１１の収容空間内に収容される主幹ブレーカ５２や分岐ブレーカ５３等の内部収容品５１とを有する。なお、以下の説明において、分電盤１０を住宅の壁面に取り付けを行った際の鉛直方向を分電盤の上下方向、前記壁面と直交する方向を分電盤１０の前後方向、上下方向及び前後方向と直交する方向を分電盤１０の左右方向として説明を行う。また、一部の図においては矢印付きで各方向を示している。
【００１３】
図２及び図３に示すように、ハウジング１１は、有底矩形筒状のハウジングベース１２と、ハウジングベース１２の開口部１２ａを覆う有底矩形筒状のハウジングカバー１３とを有する。
【００１４】
図３及び図６に示すように、ハウジングベース１２は、底部２１と、底部２１の縁部から延出する矩形筒状部２２とを有して有底矩形筒状をなすよう構成される。
図３及び図６に示すように、ハウジングベース１２の底部２１は、その略中央に略矩形状に形成された電線挿通用の挿通孔２１ａが開口している。底部２１には前記挿通孔２１ａを挟んで上下両側のそれぞれに、複数のガイド孔２１ｂが左右方向に複数並設される。ガイド孔２１ｂは挿通孔２１ａの上側と下側との両方に同数個形成されている。
【００１５】
図３及び図６に示すように、ハウジングベース１２の矩形筒状部２２は、底部２１の縁部から延出する４つの側板部２３，２４によって構成される。矩形筒状部２２は、前記底部２１とは反対側の端部が開口部１２ａとなっている。矩形筒状部２２を構成する４つの側板部２３，２４は、左右方向に延びる２つ長尺側板部２３と、上下方向に延びる２つの短尺側板部２４とで構成される。
【００１６】
図５（ａ）及び図６に示すように、２つの長尺側板部２３のうちの相対的に上方向に位置する長尺側板部２３は、その外側面において板面と直交する方向に突出する突起２３ｔを長手方向両側にそれぞれ１個（計２個）有する。長尺側板部２３のうちの相対的に上方向に位置する長尺側板部２３は、ハウジング１１内の熱を排出するための後述するスリット部Ｓ１，Ｓ２を有する。
【００１７】
図４（ａ）、図５（ａ）及び図６に示すように、矩形筒状部２２を構成する各側板部２４は、その外側面において板面と直交する方向に突出する突起２４ｔを長手方向両側にそれぞれ１個（計２個）有する。側板部２３の突起２３ｔの突出方向と側板部２４の突起２４ｔの突出方向は略直交する関係となっている。
【００１８】
図４（ｂ）及び図５（ｂ）に示すように、各側板部２３，２４の各突起２３ｔ，２４ｔは、ハウジングベース１２にハウジングカバー１３を組み付けた際に、ハウジングカバー１３よりも左右方向又は上下方向において外側に突出する長さを有する。
【００１９】
図３及び図７に示すように、ハウジングカバー１３は、底部３１と、底部３１の縁部から延出する矩形筒状部３２とを有して有底矩形筒状をなすように構成される。
図３及び図７に示すように、ハウジングカバー１３の底部３１は、その略中央に略矩形状に形成された開口部３１ａを有する。この開口部３１ａには、開口部３１ａを挟んで上下両側のそれぞれに、上下方向に延出する延出片３１ｂが左右方向に複数並設される。この延出片３１ｂには、主幹ブレーカ用カバーＣ１や分岐ブレーカ用カバーＣ２などの各種カバーが取り付けられるようになっている。
【００２０】
図７に示すように、ハウジングカバー１３の矩形筒状部３２は、底部３１の縁部から延出する４つの側板部３３，３４によって構成される。矩形筒状部３２は、前記底部３１とは反対側の端部が開口部３２ａとなっている。矩形筒状部３２を構成する４つの側板部３３，３４は、左右方向に延びる２つ長尺側板部３３と、上下方向に延びる２つの短尺側板部３４とで構成される。
【００２１】
図６及び図７に示すように、底部３１の上下方向の端部から延出する２つの長尺側板部３３は、その内面間の長さ（内寸）Ｄｂ１が、ハウジングベース１２側の２つの長尺側板部２３の外面間の長さ（外寸）Ｄａ１よりも長く設定される。また、底部３１の左右方向の端部から延出する２つの短尺側板部３４は、その内面間の長さ（内寸）Ｄｂ２が、ハウジングベース１２側の２つの短尺側板部２４の外面間の長さ（外寸）Ｄａ２よりも長く設定される。このため、ハウジングカバー１３の矩形筒状部３２は、ハウジングベース１２の矩形筒状部２２よりも開口面積が一回り広い構成とされる。これにより、ハウジングカバー１３は、その底部３１がハウジングベース１２の底部２１と対向する方向においてハウジングベース１２に対して組み付けることで、矩形筒状部３２がハウジングベース１２の矩形筒状部２２の周囲を覆うこととなる。このため、分電盤１０を左右方向又は上下方向から見た時にハウジングカバー１３の矩形筒状部３２がハウジングベース１２の矩形筒状部２２と重なるようになっている。例えばハウジングベース１２の矩形筒状部とハウジングカバー１３の矩形筒状部とを突きあわせた状態と比較して、左右方向や上下方向から見た時に隙間が生じることが抑えられている。
【００２２】
図７に示すように２つの長尺側板部３３のうちの相対的に上方向に位置する長尺側板部３３は、先端側（反底部３１側であり、前後方向において後ろ側）から基端側にかけて凹状をなすように形成される凹部３３ｔを長手方向両側にそれぞれ１個（計２個）有する。
【００２３】
図５（ａ）及び図７に示すように、矩形筒状部３２を構成する各短尺側板部３４は、先端側（反底部３１側であり、前記前後方向において後ろ側）から基端側にかけて凹状をなすように形成される凹部３４ｔを長手方向両側にそれぞれ１個（計２個）有する。各凹部３３ｔ，３４ｔは、ハウジングベース１２とハウジングカバー１３とを組み付けた際に、前記突起２３ｔ，２４ｔを嵌入可能な位置に形成されている。このため、凹部３３ｔ，３４ｔは、ハウジングベース１２とハウジングカバー１３とを組み付けた際に前記突起２３ｔ，２４ｔと干渉しないようになっている。また、凹部３３ｔ，３４ｔによって相対的に突起２３ｔ，２４ｔの突出量が減ることとなり、突起２３ｔ，２４ｔの極端な飛び出しが抑えられている。
【００２４】
図２に示すように、ハウジングカバー１３の底部３１を構成する前面３１ｃには、ハウジングカバー１３の前面３１ｃを覆うドア１４が開閉（回動）可能に設けられる。これにより、必要に応じてドア１４を開けることで主幹ブレーカ５２のハンドル５２ａや分岐ブレーカ５３のハンドル５３ａが露出され、操作可能となっている。また、ドア１４を閉じることで、主幹ブレーカ５２や分岐ブレーカ５３を隠すことが可能となっている。
【００２５】
次に、本実施形態のハウジングの排熱用スリット部構造について説明する。
図８〜図１０に示すように、ハウジングベース１２は、上下方向に貫通するように形成される第１及び第２スリット部Ｓ１，Ｓ２と、第１及び第２スリット部Ｓ１，Ｓ２と上下方向において対向する第１及び第２遮蔽部２３ａ，２３ｂとをそれぞれ複数有する。
【００２６】
第１スリット部Ｓ１は、第１遮蔽部２３ａと上下方向において対向するとともに、前記第１遮蔽部２３ａよりも下方に位置する。また、第１スリット部Ｓ１は、各第２遮蔽部２３ｂ間に形成されている。
【００２７】
第２スリット部Ｓ２は、第２遮蔽部２３ｂと上下方向において対向するとともに、前記第２遮蔽部２３ｂよりも上方に位置する。また、第２スリット部Ｓ２は、各第１遮蔽部２３ａ間に形成されている。
【００２８】
第１遮蔽部２３ａは、前記第１スリット部Ｓ１よりも上下方向視における表面積が大きく、前記第１スリット部Ｓ１と上下方向において重なるように形成される。
第２遮蔽部２３ｂは、前記第２スリット部Ｓ２よりも上下方向視における表面積が大きく、前記第２スリット部Ｓ２と上下方向において重なるように形成される。また、第２遮蔽部２３ｂと第１遮蔽部２３ａは、それぞれ分電盤の前後方向に長い台形板状をなすように形成される。また、第１遮蔽部２３ａと第２遮蔽部２３ｂとは、前後方向の両端部に形成される連続部２３ｃ，２３ｄによって一体形成されている。
【００２９】
次に、本実施形態の分電盤の作用を説明する。
本実施形態の分電盤１０は、住宅内の所定の壁に取り付けられる。そして、分電盤１０内の各ブレーカ５２，５３や電線等で発生した熱は、ハウジングベース１２の上側の長尺側板部２３に形成された第１及び第２スリット部Ｓ１，Ｓ２から排出される。このとき、第１スリット部Ｓ１は第１遮蔽部２３ａと上下方向において重なり、第２スリット部Ｓ２は、第２遮蔽部２３ｂと上下方向において重なっている。このため、第１スリット部Ｓ１を通った排気の一部又は全部は第１遮蔽部２３ａにぶつかって第２スリット部Ｓ２から排出される。一方、上方からの埃は、第１遮蔽部２３ａや第２遮蔽部２３ｂによってハウジング１１内部への侵入が抑えられている。
【００３０】
次に、本実施形態の効果を記載する。
（１）ハウジングベース１２は、筒状部の上側に上方に開口する態様で形成される第１スリット部Ｓ１と、第１スリット部Ｓ１の上方において該スリット部Ｓ１と開口方向において少なくとも一部重なる態様の第１遮蔽部２３ａとを有する。第１遮蔽部２３ａによって埃の侵入が抑えられる。また第１スリット部Ｓ１は上下方向に開口するため、分電盤１０の取付面（壁面）に排気されることが抑えられるため、壁面の汚れを抑えることができる。
【００３１】
（２）第１遮蔽部２３ａ間に第１スリット部Ｓ１と開口方向において重ならない位置に第２スリット部Ｓ２を有し、前記第１スリット部Ｓ１間に前記開口方向において前記第２スリット部Ｓ２の少なくとも一部と重なる態様の第２遮蔽部２３ｂを有する。このため、第１及び第２遮蔽部２３ａ，２３ｂによってハウジング１１内に埃が侵入することをより抑えることができる。
【００３２】
なお、上記実施形態は、以下のように変更してもよい。
・上記実施形態では、第１スリット部Ｓ１に第１遮蔽部２３ａが上下方向において完全に重なる（覆う）構成としたが、少なくとも一部と重なるような構成としてもよい。また、第２スリット部Ｓ２に第２遮蔽部２３ｂが上下方向において完全に重なる（覆う）構成としたが、少なくとも一部と重なるような構成としてもよい。
【００３３】
・上記実施形態では、ハウジングベース１２及びハウジングカバー１３を有底矩形筒状としたが、有底筒状であれば適宜変更してもよい。ただし、ハウジングベース１２の矩形筒状部２２及びハウジングカバー１３の矩形筒状部３２は類似形状であることが好ましい。
【００３４】
・上記実施形態並びに上記変形例は適宜組み合わせてもよい。
【符号の説明】
【００３５】
１０…分電盤、１１…ハウジング、１２…ハウジングベース、１２ａ…開口部、２３ａ…第１遮蔽部、２３ｂ…第２遮蔽部、５２…主幹ブレーカ（ブレーカ）、５３…分岐ブレーカ（ブレーカ）、Ｓ１…第１スリット部、Ｓ２…第２スリット部。
【図１】
2015208098.tif 000003
【図２】
2015208098.tif 000004
【図３】
2015208098.tif 000005
【図４】
2015208098.tif 000006
【図５】
2015208098.tif 000007
【図６】
2015208098.tif 000008
【図７】
2015208098.tif 000009
【図８】
2015208098.tif 000010
【図９】
2015208098.tif 000011
【図１０】
2015208098.tif 000012